【事件の表示】
　特願２０００−１２８９３０「ＷＷＷサーバ機能内蔵の汚水浄化槽用エアポンプ」拒絶査定不服審判事件〔平成１３年１０月３１日出願公開、特開２００１−３０４１３６〕について、次のとおり審決する。
【結　論】
　本件審判の請求は、成り立たない。
【理　由】
１．手続の経緯
　本願は、平成１２年４月２５日の出願であって、平成１７年４月５日付けで拒絶査定がなされ、これに対し、同年４月２８日に審判請求がなされるとともに同年５月２７日に手続補正がなされたものである。
　
２．平成１７年５月２７日付け手続補正についての補正却下の決定
［補正却下の決定の結論］
　平成１７年５月２７日付け手続補正を却下する。
［理由］
（１）補正後の請求項１に記載された発明
　本件補正により、特許請求の範囲の請求項１は、次のとおりに補正された。
　
　「空気を圧送するポンプ本体と、
ポンプ故障検知センサ及び切替弁故障検知センサと、
前記制御部は、前記ポンプ故障検知センサ及び切替弁故障検知センサからの信号を入力し、
この外部との接続部に接続される外部ＷＷＷブラウザ端末から前記エアポンプ内に設けられたＷＷＷサーバにアクセスし、前記ポンプ故障検知センサ及び切替弁故障検知センサの検知状態を表示させる、
　
　上記補正は、請求項１に記載した発明において「ポンプ故障検知センサ及び切替弁故障検知センサ」を有するものとするとともに、「制御部」は、「ポンプ故障検知センサ及び切替弁故障検知センサからの信号を入力し」、「外部との接続部に接続される外部ＷＷＷブラウザ端末からエアポンプ内に設けられたＷＷＷサーバにアクセスし、ポンプ故障検知センサ及び切替弁故障検知センサの検知状態を表示させる」点を限定するものであるが、同時に「ＨＴＭＬに組み込まれた制御コードで前記制御部を制御し、前記ＷＷＷサーバは前記インターフェイス手段を介して前記制御部にアクセスしそこに格納されている「逆洗開始時刻」及び「逆洗終了時刻」データを取り出しＨＴＭＬデータとして送信する」との限定を省くものであり、結果として特許請求の範囲を減縮するものであるとは認められず、該補正は、請求項の削除、特許請求の範囲の減縮、誤記の訂正、明りょうでない記載の釈明のいずれにも該当しない。
　
（２）むすび
　したがって、本件補正は、特許法１７条の２第４項の各号に掲げるいずれの事項を目的とするものにも該当しないので、特許法第５３条第１項の規定により却下すべきものである。
　
３．本願発明について
（１）本願発明
　平成１７年５月２７日付けの手続補正は上記のとおり却下されたので、本願の請求項１に係る発明（以下「本願発明」という。）は平成１６年１１月１日付け手続補正書により補正された特許請求の範囲の請求項１に記載された次のとおりのものである。
　
　「空気を圧送するポンプ本体と、作動シーケンスを決定する動作設定手段と、空気流路を切り替えるための空気流路切替装置を有し、設定された条件でエアポンプを制御する制御部とを備えるエアポンプであって、前記制御部内にはインターフェイス手段が設けられ、そのインターフェイス手段はＷＷＷサーバに繋がり、そのＷＷＷサーバは外部との接続部と繋がっており、ＨＴＭＬに組み込まれた制御コードで前記制御部を制御し、前記ＷＷＷサーバは前記インターフェイス手段を介して前記制御部にアクセスしそこに格納されている「逆洗開始時刻」及び「逆洗終了時刻」データを取り出しＨＴＭＬデータとして送信する、ＷＷＷサーバ機能内蔵の汚水浄化槽用エアポンプ。」
　
（２）引用例
（２−１）原査定の拒絶の理由に引用された特開平１０−１９６５４７号公報（平成１０年７月３１日公開、以下「引用例１」という。）には、「エアポンプおよびリモート設定装置」に関する発明が開示されており、そこには、図面とともに次の事項が記載されている。
　
・「【請求項３】エアの吐出流路を切り換える電磁弁と、該電磁弁の切り換えを制御するコントローラと、該コントローラに接続される送受信部とを備えてなるエアポンプ。
【請求項４】請求項３記載のエアポンプに用いられるリモート設定装置であって、現在の時刻を設定するための選択部と、前記エアポンプ内の時刻ならびに該エアポンプの切換時刻および時間を選定するためのモード選択部と、前記各時刻および時間を表示するための表示部と、前記各時刻および時間を調整するための調整部と、前記各時刻および時間を設定するための設定部と、前記エアポンプの送受信部に設定信号を送受させる送受信部とからなるリモート設定装置。」
　
・「【０００１】
【発明の属する技術分野】本発明はエアポンプおよびリモート設定装置に関する。さらに詳しくは、たとえば汚水の浄化装置に用いられるエアポンプであって、浄化槽へ供給するエアの吐出流路を所定の時刻に他の浄化槽へ所定の時間のあいだ切り換えることができるエアポンプ、および前記エアの吐出流路の切換時刻と切換時間の設定に用いられるリモート設定装置に関する。」
　
・「【００２１】つぎにリモート設定装置を用いてエアポンプにおけるコントローラの切換時刻ならびに切換時間である逆洗時刻および逆洗時間の設定について説明する。
【００２２】まず設定装置本体２１の電源を入れ、現在時刻選択スイッチ２５を押す。そして時ＵＰ、ＤＯＷＮスイッチ２９ａ、２９ｂおよび分ＵＰ、ＤＯＷＮスイッチ３０ａ、３０ｂを使い液晶表示器２４の表示を現在の時刻に合わせたのち、設定スイッチ３１を押す。これにより、現在の時刻が設定装置本体２１にメモリされる。
【００２３】ついでケーブル６をエアポンプにおけるコントローラ５に接続する。そして現在のポンプ内時刻を知るために、ポンプ内時刻選択スイッチ２６を押す。つぎに前記調整が終了した現在時刻選択スイッチ２５を押し、液晶表示器２４に表示されたポンプ内時刻が現在の時刻に合っていないときは、時ＵＰ、ＤＯＷＮスイッチ２９ａ、２９ｂおよび分ＵＰ、ＤＯＷＮスイッチ３０ａ、３０ｂを使い現在の時刻に合わせる。こののち、設定スイッチ３１を押し、コントローラ５に現在の時刻をメモリさせる。
【００２４】ついで逆洗時刻設定モードにするために、逆洗時刻選択スイッチ２７を押す。そして、時ＵＰ、ＤＯＷＮスイッチ２９ａ、２９ｂおよび分ＵＰ、ＤＯＷＮスイッチ３０ａ、３０ｂを使い所定の逆洗時刻に合わせる。こののち、設定スイッチ３１を押し、コントローラ５に逆洗時刻をメモリさせる。
【００２５】つぎに逆洗時間設定モードにするために、逆洗時間選択スイッチ２８を押す。そして時ＵＰ、ＤＯＷＮスイッチ２９ａ、２９ｂおよび分ＵＰ、ＤＯＷＮスイッチ３０ａ、３０ｂを使い所定の逆洗時間に合わせる。こののち、設定スイッチ３１を押し、コントローラ５に逆洗時間をメモリさせる。」
　
　これらの記載によると、引用例１には、
　
　「エアポンプと、現在の時刻を設定するための選択部、前記エアポンプ内の時刻ならびに該エアポンプの逆洗時刻および逆洗時間を選定するためのモード選択部、前記各時刻および時間を表示するための表示部、前記各時刻および時間を調整するための調整部、前記各時刻および時間を設定するための設定部、および前記エアポンプの送受信部に設定信号を送受させる送受信部とからなるリモート設定装置と、エアの吐出流路を切り換える電磁弁を有し、電磁弁の切り換えを制御するコントローラと、該コントローラに接続され、リモート設定装置と設定信号を送受する送受信部とを備え、リモート設定装置の表示部にエアポンプ内時刻を表示することができる、汚水浄化槽用エアポンプ装置。」の発明（以下「引用例１記載の発明」という。）が記載されていると認められる。
　
（２−２）また、原査定の拒絶の理由に引用された特開平１０−１９１４６３号公報（平成１０年７月２１日公開、以下「引用例２」という。）には、「電子機器及びその制御方法」に関する発明が開示されており、そこには、図面とともに次の事項が記載されている。
　
・「【請求項３】ネットワークによって接続された複数の電子機器同士で互いに制御を行うための電子機器の制御方法であって、自分自身の動作を制御する制御コードを含むＨＴＭＬデータを送出するＷＷＷサーバ機能を備えた第１の電子機器に対して、このＨＴＭＬデータにアクセスするＷＷＷブラウザ機能を備えた第２の電子機器からアクセスして、前記第２の電子機器によって前記第１の電子機器の動作を制御するようにしたことを特徴とする電子機器の制御方法。」
　
・「【００１５】また、図３に示すように、ＴＶ２やＰＣ４から家庭内にあるＶＴＲ３の操作を行うためには、それぞれのＷＷＷブラウザ２ｂ，４ｂを使用してアドレス192.168.10.102を指定する。実際には、ＶＴＲ３を指定すると自動的にアドレス192.168.10.102にアクセスするように設定しておく。そして、家庭内のネットワークを経由してＶＴＲ３にアクセスし、ＶＴＲ３内のＷＷＷサーバ３ａからＶＴＲ３の操作に必要な情報（ユーザーインターフェース情報）をアクセス元のＷＷＷブラウザ２ｂ，４ｂの画面上に表示する。同様に、ＰＣ４からＴＶ２の操作を行う場合は、図４に示すように、アドレス192.168.10.101を指定してＴＶ２にアクセスする。そして、ＴＶ２内のＷＷＷサーバ２ａからＴＶ２の操作に必要なユーザーＩ／Ｆ情報をアクセス元であるＰＣ４のＷＷＷブラウザ４ｂの画面上に表示する。なお、ＴＶ２に内蔵されているＷＷＷブラウザ２ｂからアクセスした場合には、ネットワークを通らずにＴＶ２自信の中にあるＷＷＷサーバ２ａにアクセスすることになる。
【００１６】ここでＶＴＲ３を操作する場合の具体例について説明する。図５はこの時のＴＶ２またはＰＣ４の表示画面であり、図６はＴＶ２またはＰＣ４とＶＴＲ３との間のデータの送受信内容を示す図である。まず、ＴＶ２またはＰＣ４のＷＷＷブラウザ２ｂ，４ｂからアドレス192.168.10.102を指定してＶＴＲ３にアクセスすると、図５に示すような画面が表示される。すなわち、ＷＷＷブラウザ２ｂ，４ｂがＶＴＲ３内にあるＷＷＷサーバ３ａに対してリクエスト（ページデータの要求）を発行すると、ＶＴＲ３内のＷＷＷサーバ３ａはこのリクエストに対してHTMLで書かれたＶＴＲ３を制御するためのページデータを送出し、ＴＶ２またはＰＣ４の画面に表示する。」
　
・「【００２１】次に、ＴＶ２またはＰＣ４からＶＴＲ３の録画予約を行う場合について説明する。図５または図７に示した操作画面において、録画予約ボタン３４を選択すると図９に示すような画面がＴＶ２またはＰＣ４に表示される。そして、この画面により、ＶＴＲ３の予約操作を行うことができる。図９は、ＶＴＲ３の録画予約を行うための画面であり、画面上部にＶＴＲ３の予約画面であることを示すタイトル表示３４ａがあり、その下に、既に行われている予約の一覧３４ｂが表示されている。また、下部には新規に予約を入力するためのフィールド３４ｄが表示されており、このフィールド３４ｄに録画開始の日付、録画開始時刻及び終了時刻、録画チャンネルを入力し、新規予約のボタン３４ｅを選択することにより、新たな予約を追加することができる。」
　
（３）対比
　本願発明と引用例１記載の発明を対比すると、後者における「エアポンプ」は、本願発明における「空気を圧送するポンプ本体」に相当する。また、後者における「リモート設定装置」は、「エアポンプの逆洗時刻および逆洗時間を選定するためのモード選択部と、前記各時刻および時間を表示するための表示部と、前記各時刻および時間を調整するための調整部と、前記各時刻および時間を設定するための設定部と、前記エアポンプの送受信部に設定信号を送受させる送受信部」を含んでいるから、本願発明における「作動シーケンスを決定する動作設定手段」に相当する。また、後者における「エアの吐出流路を切り換える電磁弁」は、前者における「空気流路を切り替えるための空気流路切替装置」に相当する。また、後者における「電磁弁の切り換えを制御するコントローラ」は、前者における「設定された条件でエアポンプを制御する制御部」に相当する。また、後者における「汚水浄化槽用エアポンプ装置」は、前者における「汚水浄化槽用エアポンプ」に相当する。
　また、後者において「コントローラに接続され、リモート設定装置と設定信号を送受する送受信部」を備えた構成と前者における「制御部内にはインターフェイス手段が設けられ、そのインターフェイス手段はＷＷＷサーバに繋がり、そのＷＷＷサーバは外部との接続部と繋がっており、ＨＴＭＬに組み込まれた制御コードで前記制御部を制御し、前記ＷＷＷサーバは前記インターフェイス手段を介して前記制御部にアクセス」する構成とは、「外部とのデータの送受信手段が設けられ、制御信号を制御部に送」るものである点で共通する。また、後者においては、「リモート設定装置の表示部にエアポンプ内時刻を表示することができる」ことから、コントローラのメモリに格納されている時刻データを取り出して送信するように構成されているといえるから、後者における該構成と、前者における「制御部にアクセスしそこに格納されている「逆洗開始時刻」及び「逆洗終了時刻」データを取り出しＨＴＭＬデータとして送信する」構成とは、「制御部に格納されたデータを取り出し送信する」ものである点で共通する。
　
　したがって、両者は、「空気を圧送するポンプ本体と、作動シーケンスを決定する動作設定手段と、空気流路を切り替えるための空気流路切替装置を有し、設定された条件でエアポンプを制御する制御部とを備えるエアポンプであって、外部とのデータの送受信手段が設けられ、制御信号を制御部に送り、制御部に格納されたデータを取り出し送信する、汚水浄化槽用エアポンプ」である点で一致し、次の各点において相違する。
　
［相違点１］
　「外部とのデータの送受信手段が設けられ、制御信号を制御部に送」る点について、本願発明においては、「制御部内にはインターフェイス手段が設けられ、そのインターフェイス手段はＷＷＷサーバに繋がり、そのＷＷＷサーバは外部との接続部と繋がっており、ＨＴＭＬに組み込まれた制御コードで前記制御部を制御し、前記ＷＷＷサーバは前記インターフェイス手段を介して前記制御部にアクセス」するものであるのに対して、引用例１記載の発明のものは、「コントローラに接続され、リモート設定装置と設定信号を送受する送受信部」を備えた構成である点。
　
［相違点２］
　「制御部に格納されたデータを取り出し送信する」点について、本願発明においては、「制御部にアクセスしそこに格納されている「逆洗開始時刻」及び「逆洗終了時刻」データを取り出しＨＴＭＬデータとして送信する」ものであるのに対し、引用例１記載の発明においては、コントローラのメモリに格納されている時刻データを取り出して送信するものである点。
　
（４）判断
　相違点１について
　引用例２には、被制御機器である第１の電子機器に自分自身の動作を制御する制御コードを含むＨＴＭＬデータを送出するＷＷＷサーバ機能を備え、このＨＴＭＬデータにアクセスするＷＷＷブラウザ機能を備えた第２の電子機器からアクセスして、前記第２の電子機器によって前記第１の電子機器の動作を制御することが記載されている。該構成は、引用例２に記載されたような電子機器に特有な構成を含むものではなく、引用例１記載の発明に該構成を適用し、外部とのデータの送受信をＷＷＷサーバを介して行い、ＨＴＭＬに組み込まれた制御コードで制御を行うことで、相違点１に係る本願発明の構成とすることは、当業者にとって容易に想到しうることにすぎない。
　
　相違点２について
　引用例１記載の発明においては、コントローラのメモリに格納されている時刻データを取り出して送信するように構成されているが、例えば引用例２には、予約録画時に既に行われている予約の一覧を表示することが記載され
ているように、既設定を呼び出して確認できるようにすることは、一般に周知であり、引用例１記載の発明においても、時刻データばかりでなく、コントローラのメモリに格納されたエアポンプの逆洗時刻および逆洗時間のデータも取り出して送信するようにすることが、当業者にとって格別なことであるとは認められない。なお、引用例１記載の発明においては、本願発明における「逆洗開始時刻」に相当する「逆洗時刻」と「逆洗時間」により逆洗動作を制御しているが、本願発明のように「逆洗開始時刻」と「逆洗終了時刻」により制御しても、制御動作としてはかわりがなく、設定値として「逆洗時間」と「逆洗終了時刻」のいずれを採用するかは、当業者にとって設計上の事項にすぎない。また、データを「ＨＴＭＬデータとして」送信する点は、相違点１に係る構成を採用することにともなって当然採用される構成にすぎない。
　よって、相違点２にかかる構成上の差異が、当業者にとって格別なものであるとは認められない。
　
　そして、本願発明の構成によってもたらされる効果も、引用例１、引用例２に記載された事項、および周知技術から当業者が予測し得る程度のものである。
　
　したがって、本願発明は、引用例１、引用例２に記載された発明、および周知技術に基づいて、当業者が容易に発明をすることができたものである。
　
（５）むすび
　以上のとおり、本願発明は、引用例１、引用例２に記載された発明、および周知技術に基づいて、当業者が容易に発明をすることができたものであるから、特許法第２９条第２項の規定により特許を受けることができない。
　よって、結論のとおり審決する。